【事件の表示】
　特許第３００２８４０号「パチンコ機」の請求項１に係る特許に対する特許異議の申立てについて、次のとおり決定する。
【結　論】
　訂正を認める。
　特許第３００２８４０号の請求項１に係る特許を維持する。
【理　由】
【１】手続きの経緯
　特許３００２８４０号の請求項１に係る発明（以下「本件発明」という。）は、平成３年３月２２日に特許出願され、平成１１年１１月１９日に特許の設定登録がなされた。
　これに対して、「細江裕実」より特許異議の申立てがなされ、取消理由通知がなされ、その指定期間内である平成１２年１２月７日に訂正請求がなされた。
　
【２】訂正の内容
（１）特許請求の範囲の訂正
　請求項１を下記のとおり訂正。
　「遊技盤に特別図柄表示装置と遊技者にとって不利な第１状態と遊技者に有利な第２状態とに変換可能な大入賞口と前記特別図柄表示装置を始動させる始動手段とを設けたパチンコ機において、
　前記始動手段を遊技者に不利な第１状態と遊技者に有利な第２状態とに変換可能な可変入賞装置で構成すると共に前記大入賞口の直上部に設け、
　前記可変入賞装置を遊技者に不利な第１状態と遊技者に有利な第２状態とに変換作動させるための球検出器を備える作動手段と、この球検出器を通過した球を前記始動手段の上方に案内可能な球案内手段とを遊技盤に設け、
　前記球検出器を通過した球が前記球案内手段により前記始動手段または前記大入賞口へ誘導可能であることを特徴とするパチンコ機。」
（２）発明の詳細な説明の訂正
（２−１）段落【０００６】を下記のとおり訂正。
　「【課題を解決するための手段】
　本発明は上記に鑑み提案されたもので、遊技盤に特別図柄表示装置と遊技者にとって不利な第１状態と遊技者に有利な第２状態とに変換可能な大入賞口と前記特別図柄装置を始動させる始動手段とを設けたパチンコ機において、前記始動手段を遊技者に不利な第１状態と遊技者に有利な第２状態とに変換可能な可変入賞装置で構成すると共に前記大入賞口の直上部に設け、前記可変入賞装置を遊技者に不利な第１状態と遊技者に有利な第２状態とに変換作動させるための球検出器を備える作動手段と、この球検出器を通過した球を前記始動手段の上方に案内可能な球案内手段とを遊技盤に設け、前記球検出器を通過した球が前記球案内手段により前記始動手段または前記大入賞口へ誘導可能であることを特徴とするパチンコ機である。」
（２−２）段落【０００７】を下記のとおり訂正。
　「【作用】
　一つの球が描くことのできる軌跡上に配置した遊技状態変換手段である特別図柄表示装置の始動手段と、可変入賞装置を遊技者に不利な第１状態と遊技者に有利な第２状態とに変換作動させるための球検出器を備える作動手段とに対して、同一の球が作用可能であり、一つの球が有する価値が高まると共に、遊技者の期待感が高揚する。また、作動手段の球検出器を通過した球を始動手段または大入賞口の上方に案内する球案内手段を設けているので、始動手段または大入賞口に入球し易くすることができる。」
（２−３）段落【００２０】を下記のとおり訂正。
　「従って、上記した中央役物７の球入口３３へ入球した球は、球案内樋３５を通って球出口３２から普通電動役物８、または下方の大入賞口９に入球可能である。この一つの球が通ることのできる一連の球通路上に可変入賞装置である普通電動役物８を遊技者に不利な第１状態と遊技者に有利な第２状態とに変換作動させるための球検出器である普通図柄始動スイッチ６と、特別図柄表示装置４の始動手段である特別図柄始動スイッチ１０とが位置する。」
（２−４）段落【００２８】を下記のとおり訂正。
　「上記のような構成の本発明に係るパチンコ機によれば、一つの打球が通過する一連の球通路上に球検出器を備える作動手段として普通図柄表示装置５の普通図柄始動スイッチ６と、始動手段として特別図柄表示装置４の特別図柄始動スイッチ１０と、作動手段の球検出器を通過した球を始動手段に案内する球案内手段としての底板３１と、大入賞口９とを配置したので、普通図柄始動スイッチ６を通過した一つの球が更に特別図柄始動スイッチ１０に作用する可能性があると共に、特別図柄始動スイッチ１０に作用できなくても開放中の大入賞口９へ入賞させることが可能であり、一つの打球の価値が高まる。また、一連の球通路を形成してあるので、遊技者はこの球通路の方向に打球を集中させることができれば、特別図柄始動口１１と普通図柄始動口５６（球入口３３）の両者を狙うことが可能になり、更に大入賞口９も狙えて遊技の作戦を立て易い。一方、遊技店にしてみれば、遊技盤１の盤面に適度に打球が散るようにしておけばよいので、釘調整が容易になる。更に、特別図柄表示装置４を設けた中央役物７に普通図柄始動スイッチ６を並設しているので、普通図柄始動口５６を遊技盤１に新たに設ける必要がなく、遊技盤１の盤面の構成を簡略にすることができるし、遊技盤１の裏面側における球誘導路や球寄せの構成が簡単になる。」
（２−５）段落【００３９】を下記のとおり訂正。
　「【発明の効果】
　本発明に係るパチンコ機によれば、遊技盤に特別図柄表示装置と遊技者にとって不利な第１状態と遊技者に有利な第２状態とに変換可能な大入賞口と前記特別図柄表示装置を始動させる始動手段とを設けたパチンコ機において、前記始動手段を遊技者に不利な第１状態と遊技者に有利な第２状態とに変換可能な可変入賞装置で構成すると共に前記大入賞口の直上部に設け、前記可変入賞装置を遊技者に不利な第１状態と遊技者に有利な第２状態とに変換作動させるための球検出器を備える作動手段と、この球検出器を通過した球を前記始動手段の上方に案内可能な球案内手段とを遊技盤に設け、前記球検出器を通過した球が前記球案内手段により前記始動手段または前記大入賞口へ誘導可能なようにしたので、作動手段の球検出器を通過した一つの打球が始動手段または大入賞口への入賞可能であり、一つの打球の価値を著しく高めることができる。また、作動手段の球検出器を通過した球が、始動手段または大入賞口へ入賞可能なように一連の球通路を形成してあるので、遊技者はこの球通路の方向に打球を集中させることができれば、遊技者に有利な状態に変換することのできる作動手段及び始動手段の両方を狙うことが可能になり、また大当り中も上記球通路方向に打球を集中させれば大入賞口へ入賞させることができ、遊技の作戦を立て易い。一方、遊技店にしてみれば、遊技盤の盤面に適度に打球が散るようにしておけばよいので、釘調整が容易になり管理がし易い。更に、遊技盤の盤面の構成を簡略にすることができると共に、遊技盤の裏面側における球誘導路や球寄せの構成が簡単になる実用的価値が極めて高いパチンコ機の提供が可能である。」
　
【３】訂正の適否についての判断
（１）特許請求の範囲の訂正
　上記訂正は、訂正前の請求項１に記載された「作動手段」を明細書に記載されていた実施例に即して明確化したものであり、特許請求の範囲の明瞭でない記載の釈明に該当し、新規事項の追加に該当せず、実質的に特許請求の範囲を拡張又は変更するものでもない。
（２）発明の詳細な説明の訂正
　上記各訂正は、前記特許請求の範囲の訂正に伴って、その特許請求の範囲の記載と発明の詳細な説明の記載とを整合させるための明瞭でない記載の釈明を目的とするものと認められる。
（３）むすび
　以上のとおりであるから、上記訂正は、特許法第１２０条の４第２，３項で準用する第１２６条第２，３項の規定に適合するので、当該訂正を認める。
　
【４】特許異議申立てについての判断
（１）本件発明
　本件発明は、上記訂正明細書の請求項１に記載された事項により特定されるとおりのものである。
（２）異議申立ての理由の概要
　申立人は、証拠として甲第１〜４号証を提出し、訂正前の本件発明は、甲第１号証に記載された発明と同一であり、特許法第２９条第１項第３号の規定により、または、甲第１，２号証に記載された発明に基いて当業者が容易に発明をすることができたものであり、特許法第２９条第２項の規定により、さらに、甲第３，４号証（以下「先願明細書１」「先願明細書２」という。）に記載された発明であり、特許法第２９条の２第１項の規定により、特許を受けることができないのものであるから、本件発明の特許を取り消すべき旨主張している。
（３）甲号各証
（３−１）上記甲号各証および各先願明細書には、下記の事項が図面とともに記載されている。
＜甲第１号証（特開昭６３−１５８０７９号公報）＞
　「本発明は、変動入賞装置に球が入ると球検出器がこの球を検出して補助遊技装置を作動させるようにしたパチンコ機に関するものである。」（第１頁左欄第１４〜１６行）、
　「第１３図に示すパチンコ機の遊技盤２は、上記した構成からなる変動入賞装置１を所謂始動口として使用した所謂第１種パチンコ機に属するもので、ガイドレール４７で囲んだ遊技部４８内に、中央に数字を高速変換表示する第１表示器４９と、該第１表示器４９の周りを点滅移動しながら数字を表示する第２表示器５０とからなる補助遊技装置５１を配設し、該補助遊技装置５１の下方に上記変動入賞装置１を第１始動入賞口５２、第２始動入賞口５３、第３始動入賞口５４として配設し、遊技部４８の下部にアタッカ式変動入賞具５５を配設してある。斯るパチンコ機においては、第１始動入賞口５２に球が入ると、両可動翼片７，７が球を受け入れ難い第１状態から球を受け入れ易い第２状態に変換する。また、第１始動入賞口５２に球が入ると、この球を検出した球検出器１６からの信号により電気的制御装置（図示せず）が補助遊技装置５１を作動して第１表示表示器４９の数字を高速変換表示するとともに、第２表示器５０の数字を点滅移動する。そして、遊技者の外部操作により、又は電気的制御装置のタイマに設定した所定時間が経過すると、補助遊技装置５１の作動が停止して第１表示器４９及び第２表示器５０に数字が継続して表示される。この第１表示器４９の数字と第２表示器５０の数字との組合せが特定の賞態様、例えば「７」、「７」を形成すると特別遊技の権利が発生し、電気的制御装置が変動入賞具５５のソレノイドを所定時間（例えば、３０秒）継続して駆動し、扉板５６を開いて球を受け入れ易い第２状態変換する。」（第５頁左上欄第１２行〜左下欄第２行）、
　「本実施例では、遊技部４８内の第１一般入賞口５７、第２一般入賞口５８に入った球を遊技盤２の裏側に設けた案内樋５９，５９により第１始動入賞口５２に導くように構成してある。したがって、球が第１一般入賞口５７に入った場合、この球は案内樋５９を通って第１始動入賞口５２の球載置部２７上に載る。第１始動入賞口５２が第１状態のときに、球が球載置部２７上に載ると、揺動板３０が揺動して先端爪部２８が制御ロータ９を回動するので、該第１始動入賞口５２の両可動翼片７，７が第２状態に変換する。したがって、球が第１始動入賞口５２に入り易くなり、補助遊技装置５１が作動しやすくなる。」（第５頁右下欄第６〜１８行）、
　「以上説明したように本発明によれば、球が変動入賞装置に入ったときに、該入賞装置を球が入り易い状態に変換するとともに、球検出器からの信号にもとづいて補助遊技装置を作動するので、球の受け入れ状態が変換した変動入賞装置に球が入って再度補助遊技装置を作動させることができる機会が増加する。したがって、遊技者にとっては、球が入賞し易くなるとともに、補助遊技により有利な遊技を行うチャンスが生じ、パチンコ機本来の醍醐味を満喫することができる。」（第１６頁右下欄第１５行〜第１７頁左上欄第４行）。
＜甲第２号証（特開平３−３７０８５号公報）＞
　「変動入賞装置（４）の特別入賞口（１１）に打球が飛入すると、その打球は振分け装置（２５）により振分けられ、振分けられた打球が一般入賞球となれば、一般入賞球としての利益を受得る。
　これに対して、特別入賞球として振分けられた場合には．該特別入賞球は特別誘導路（３３）を通って始動入賞装置（５）まで導かれ、始動入賞装置の打球の入嘗状態を遊技者に有利な状態に変換する。これにより、始動入賞装置に打球が入賞する確率が高くなる。」（第２頁左下第４〜１３行）、
　「変動入賞装置４の天入賞口１０の下の特別入賞口１１に打球が入賞すると、該打球は、第６図に示すように、基板９の事面に導かれ、特別球通路１９を通って特別球流入口２４から凹室１３内に入る。凹室１３内に入ると、該球は第１誘導樋２６から第２誘導樋２８を通って円形のテーブル２９内に勢いよく入り、その遠心力によりテーブル２９の周縁に沿って円形に回転し、球の勢いがなくなると、次第に中央に導かれて入賞穴３０，３１のいずれかに落下する。尚、打球の行方は、凹室１３の透明乃至は半透明な前面板２０を通して、遊技者がパチンコ機１の前面から見て楽しむことができる。
　例えば、一般入賞穴３０に落下した打球は、第７図に示すように、各一般誘導路３２を通って、変動入賞装置４の外に放出され、一般入賞球となる。
　これに対し、特別入賞穴３１に落下した打球は、特別誘導路３３を通って、変動入賞装置４の下方に位置する始動入賞装置５に導かれ、その流下途中で作動部材を作動することで、始動入賞装置５のチューリップを開く。
　このため、始動入賞装置５の入賞確率が高くなり、遊技部３を流下する打球が開状態の始動入賞装置５に飛入すると、該打球は流下途中で始動検出器４３により検出される。」（第５頁右上欄第２行〜左下欄第６行）、
　「始動検出器４３で検出されると、始動検出器４３からの検出信号は、第９図に示すように、レシーバ４４を介して制御装置４５に入力され、制御装置４５はドライバ４６を介してソレノイド３９を約６秒間、励磁する。
　ソレノイド３９が励磁すると、作動レバー３８及び連結杵３７を介して軸１４ａが回転し、可動片１４が第８図に示すように、左右内向きに回動し、変動入賞装置４は遊技者に有利な第２状態に変換し、特別遊技を開始する。」（第５頁左下欄第８〜１７行）、
　「こうして、可動片１４が第２状態に変換すると、その上面１４ｂにより遊技部３を流下する打球を受止める。
　可動片１４の上面１４ｂで受止められた打球は、第８図に示すように、その上面１４ｂの下り傾斜によりその自由端部に向って転動し、中央部分の低くなった箇所に一般入賞口１５が開口するため、多くの打球は一般入賞口１５に流入して、一般入賞球となる。
　これに対し、可動片１４の上面１４ｂの少し高くなった自由端部を乗越えた打球は、両可動片１４の自由端部の対向間隔内に落込み、放出路１６を通って変動入賞装置４の真下に落下する。
　上記落下球は、変動入賞装置４と始動入賞装置５の間の釘群４０に当って跳返りながら、開状態の始動入賞装置５に向って流下する。
　そして、落下球が始動入賞装置５に入ると、始動検出器４３により検出され、該検出信号は制御装置４５で演算記憶される。」（第５頁右下欄第２〜２０行）、
　「又、始動入賞装置５に入賞した打球により、特別遊技が即時に開始するようにしたが、別遊技を行わせ、その結果態様に基いて特別遊技が開始するようにしてもよい。」（第６頁右上欄第１４〜１７行）、
　「放出路から放出された打球が始動入賞装置に入賞する確率を高くできるので、変動入賞装置を繰返して遊技者に有利な第２状態に変換できる可能性が増大し、これにより遊技者は多量の賞球を獲得するチャンスを得ることができる。」（第６頁左下欄第１９行〜右下欄第４行）。
＜先願明細書１（特願平２−２１６８２７号（特開平４−９７７６８号））＞
　「本発明は、パチンコ遊技機やコイン遊技機等で代表される弾球遊技機に関し、詳しくは、複数種類の識別情報が可変表示可能な可変表示装置を有しその可変表示装置の停止時の表示結果が予め定められた特定の識別情報になった場合に可変入賞球装置が遊技者にとって有利な第１の状態に駆動制御されて大当り状態が発生する弾球遊技機に関する。」（第１８頁左下欄第１８行〜右下欄第５行）、
　「遊技領域２２３には図示しない打球装置によりパチンコ玉が１つずつ打ち込まれる。この遊技領域２２３には、複数種類の識別情報が可変表示可能な普通可変表示装置２と、複数種類の識別情報が可変表示可能な特別可変表示装置１と、可動部材４ａ，４ｂが開閉することにより打玉が入賞しやすい遊技者にとって有利な第１の状態と打球が入賞しにくいまたは入賞しない遊技者にとって不利な第２の状態とに変化する普通可変入賞球装置４とが一体的に設けられている。さらに遊技領域２２３の下方位置には、開閉板５１が開閉することにより打玉が入賞しやすい遊遊技者にとって有利な第１の状態と打玉が入賞しにくいまたは入賞しない遊技者にとって不利な第２の状態とに変化する特別可変入賞装置３と、特別始動入賞口９ａ，９ｂとが一体的に設けられている。」（第２０頁左上欄第１２行〜右上欄第７行）、
　「パチンコ玉が普通始通過口７を通過すればその通過玉が始動通過玉検出器８により検出され、その検出出力に基づいて普通可変表示装置２が可変表示を開始する。」（第２０頁左下欄第１２〜１５行）、
　「普通始動通過口７にパチンコ玉が通過して可変表示された普通可変表示装置２の停止時の表示結果が所定の識別情報（たとえば７７）となれば、ソレノイド１５を励磁させて普通可変入賞球装置４を比較的長い所定時間（たとえば６秒間）開成制御する。一方、普通可変表示装置２の表示結果がたとえば「３３」となればチューリップソレノイド１５を励磁させて普通可変入賞球装置４を比較的短い所定時間（たとえば３秒間）開成させる。
　この普通可変入賞球装着４に入賞したパチンコ玉は始動入賞玉検出器１０により検出され、その検出出力に基ついて特別可変表示装置１が可変表示される。」（第２１頁左下欄第１０行〜右下欄第３行）。
＜先願明細書２（特願平２−２０９１３８号（特開平４−９２６８８号））＞
　「遊技部８には無数の障害釘（図示せず）を植設するとともに打球が通過すると遊技者にとっては利益となる入賞領域を形成し、図面の実施例では遊技部８の上部に可変表示装置９を、該可変表示装置９の下方には入賞した球を第１始動スイッチ１０で検出可能な所謂始動口として機能するポケット枠状の特定入賞口１１を、該特定入賞口１１の下方に補助変動入賞装置１２を、該補助変動入賞装置１２の下方に変動入賞装置１３を配設し、補助変動入賞装置１２の斜め下方には第１チューリップ入賞具１４ａと第２チューリップ入賞具１４ｂなどを設けてある。」（第２頁右下欄第１４行〜第３頁左上欄第６行）、
　「変動入賞装置１２は、第７図及び第８図に示すように、遊技盤６に取付ける第１ベース板３３のほぼ中央に横長な球通過口３４を開設し、該球通過口３４には駆動源であるソレノイド３５により開閉する球受扉３６を回動自在に軸着」（第３頁左下欄第１８行〜右下欄第２行）、
　「プランジャがレバー４０を押圧するとレバー４０が下がり、球受扉３６の一端３６ａを押し下げ球受扉３６が閉じ、打球を受け入れない状態、即ち遊技者にとって不利な第１状態を維持する。またソレノイド３５を励磁してプランジャが吸引されると、レバー４０を押さえている力がなくなるため、球受扉３６は自重で回動してレバー４０を押し上げながら開き、打球を受け入れ易い状態、即ち遊技者にとって有利な第２状態に変換する。」（第３頁右下欄第１６行〜第４頁左上欄第５行）、
　「打球が特別入賞口１７に入賞すると、特別入賞検出器１７′がこの球を検出して補助変動入賞装置駆動制御手段６１に特別入賞信号を送る。そして、この特別入賞信号を受けた補助変動入賞装置駆動制御手段６１は、予めタイマ６３に設定した所定時間（例えば６秒間）が経過するまで補助変動入賞装置１２のソレノイド２５を励磁して打球が入賞し易い第２状態に変換する。この所定時間内に打球が補助変動入賞装置１２に入賞すると、第２始動スイッチ３０がこの球を検出して特定入賞信号を発生して入賞記憶手段５０に送るので、可変表示装置９の可変表示が開始され、別遊技を行うことができる。したがって、本実施例では球が特別入賞口１７に入賞することで、補助変動入賞装置１２が打球を受け入れ易い第２状態に変換し、これにより可変表示装置９による別遊技のチャンスが間接的に増加する。」（第６頁左上欄第１３行〜右上欄第１０行）、
　「上記した実施例は、補助変動入賞装置１２を変動入賞装置１３の上に配置したので、補助変動入賞装置１２が第２状態に変換して球を入賞し易い状態になると、下方の変動入賞装置１３が第２状態に変換しても、実際には流下してきた球が補助変動入賞装置１２に入賞することが殆どなので、変動入賞装置１３に入賞し難い。」（第６頁右下欄第１９行〜第７頁左上欄第５行）、
　「補助変動入賞装置１２の作動開始条件は、遊技盤６に設けられた特別入賞通過領域を通過した打球を所定数（例えば１個乃至５個）検出するように構成してもよい。例えば、可変表示装置９に一体的に設けた特別入賞口１７，１７を通過チャッカタイプとし、特別入賞スイッチ１７′からの信号を計数手段により計数し、この特別入賞口内を所定数（例えば５個）の球が通過すると作動条件が成立したものと判断し、補助変動入賞装置１２を第２状態に変換するように構成してもよい。」（第７頁右下欄第８〜１８行）、
　「また、補助変動入賞装置１２の作動開始条件は、遊技盤６に設けた特別な入賞口に入賞することを第１条件とし、この第１条件が成立するこどを前堤として別個な遊技で第２条件が成立した場合に、補助変動入賞装置１２を遊技者にとって有利な第２状態に変換するように構成してもよい。
　例えば、特別入賞口１７を特別な入賞口と設定すると、第１２図に示すように、この特別入賞口１７に入賞した球を特別入賞検出器１７’により検出し、該特別入賞検出器１７’からの信号を入賞記憶手段７１により予め設定した範囲内（例えば４個まで）で記憶し、この記憶にもとづいて補助可変表示動作タイミング制御手段７２を作動するなどして補助可変表示装置７３（第１図）の変換表示を開始し、遊技者の外部操作またはタイマに設定した所定時間の経過により上記補助可変表示装置７３の変換表示を停止する。そして、判定手段７４により補助可変表示装置７３の表示態様が賞態様に該当するか否かを判別し、賞熊様が成立していると判別した場合、例えば「７」が表示された場合には補助変動入賞装置１２をタイマ６２に設定した所定時間（例えば６秒間）だけ第１状態から第２状態に変換して球を入賞し易い状能とする。」（第７頁右下欄第１９行〜第８頁右上欄第２行）。
（３−２）対比・判断
　訂正後の本件発明と上記甲第１，２号証および先願明細書１，２記載のものとを対比すると、甲第１，２号証および先願明細書１，２記載のものには、上記のとおり、少なくとも本件発明の「球検出器を通過した球が球案内手段により始動手段または大入賞口へ誘導可能である」点について何等記載されておらず、示唆もない。
　そして、本件発明は、上記構成と他の構成とが相俟って、「作動手段の球検出器を通過した一つの打球が始動手段または大入賞口への入賞可能であり、一つの打球の価値を著しく高めることができる。」等の明細書記載の作用効果を奏するものである。
　したがって、本件発明は、甲第１号証に記載された発明であるとも、甲第１，２号証に記載された技術に基いて当業者が容易に発明をすることができたものとも、また、先願明細書１，２に記載された発明と実質的に同一であるとも、いえない。
（４）むすび
　以上のとおりであるから、特許異議申立ての理由及び証拠によっては、本件発明についての特許を取り消すことはできない。
　また、他に本件発明についての特許を取消すべき理由を発見しない。
　よって、結論のとおり決定する。
【異議決定日】
平成１２年１２月２１日（２０００．１２．２１）
【訂正の要旨】
（１）特許請求の範囲の訂正
　請求項１を下記のとおり訂正。
　「遊技盤に特別図柄表示装置と遊技者にとって不利な第１状態と遊技者に有利な第２状態とに変換可能な大入賞口と前記特別図柄表示装置を始動させる始動手段とを設けたパチンコ機において、
　前記始動手段を遊技者に不利な第１状態と遊技者に有利な第２状態とに変換可能な可変入賞装置で構成すると共に前記大入賞口の直上部に設け、
　前記可変入賞装置を遊技者に不利な第１状態と遊技者に有利な第２状態とに変換作動させるための球検出器を備える作動手段と、この球検出器を通過した球を前記始動手段の上方に案内可能な球案内手段とを遊技盤に設け、
　前記球検出器を通過した球が前記球案内手段により前記始動手段または前記大入賞口へ誘導可能であることを特徴とするパチンコ機。」
（２）発明の詳細な説明の訂正
（２−１）段落【０００６】を下記のとおり訂正。
　「【課題を解決するための手段】
　本発明は上記に鑑み提案されたもので、遊技盤に特別図柄表示装置と遊技者にとって不利な第１状態と遊技者に有利な第２状態とに変換可能な大入賞口と前記特別図柄装置を始動させる始動手段とを設けたパチンコ機において、前記始動手段を遊技者に不利な第１状態と遊技者に有利な第２状態とに変換可能な可変入賞装置で構成すると共に前記大入賞口の直上部に設け、前記可変入賞装置を遊技者に不利な第１状態と遊技者に有利な第２状態とに変換作動させるための球検出器を備える作動手段と、この球検出器を通過した球を前記始動手段の上方に案内可能な球案内手段とを遊技盤に設け、前記球検出器を通過した球が前記球案内手段により前記始動手段または前記大入賞口へ誘導可能であることを特徴とするパチンコ機である。」
（２−２）段落【０００７】を下記のとおり訂正。
　「【作用】
　一つの球が描くことのできる軌跡上に配置した遊技状態変換手段である特別図柄表示装置の始動手段と、可変入賞装置を遊技者に不利な第１状態と遊技者に有利な第２状態とに変換作動させるための球検出器を備える作動手段とに対して、同一の球が作用可能であり、一つの球が有する価値が高まると共に、遊技者の期待感が高揚する。また、作動手段の球検出器を通過した球を始動手段または大入賞口の上方に案内する球案内手段を設けているので、始動手段または大入賞口に入球し易くすることができる。」
（２−３）段落【００２０】を下記のとおり訂正。
　「従って、上記した中央役物７の球入口３３へ入球した球は、球案内樋３５を通って球出口３２から普通電動役物８、または下方の大入賞口９に入球可能である。この一つの球が通ることのできる一連の球通路上に可変入賞装置である普通電動役物８を遊技者に不利な第１状態と遊技者に有利な第２状態とに変換作動させるための球検出器である普通図柄始動スイッチ６と、特別図柄表示装置４の始動手段である特別図柄始動スイッチ１０とが位置する。」
（２−４）段落【００２８】を下記のとおり訂正。
　「上記のような構成の本発明に係るパチンコ機によれば、一つの打球が通過する一連の球通路上に球検出器を備える作動手段として普通図柄表示装置５の普通図柄始動スイッチ６と、始動手段として特別図柄表示装置４の特別図柄始動スイッチ１０と、作動手段の球検出器を通過した球を始動手段に案内する球案内手段としての底板３１と、大入賞口９とを配置したので、普通図柄始動スイッチ６を通過した一つの球が更に特別図柄始動スイッチ１０に作用する可能性があると共に、特別図柄始動スイッチ１０に作用できなくても開放中の大入賞口９へ入賞させることが可能であり、一つの打球の価値が高まる。また、一連の球通路を形成してあるので、遊技者はこの球通路の方向に打球を集中させることができれば、特別図柄始動口１１と普通図柄始動口５６（球入口３３）の両者を狙うことが可能になり、更に大入賞口９も狙えて遊技の作戦を立て易い。一方、遊技店にしてみれば、遊技盤１の盤面に適度に打球が散るようにしておけばよいので、釘調整が容易になる。更に、特別図柄表示装置４を設けた中央役物７に普通図柄始動スイッチ６を並設しているので、普通図柄始動口５６を遊技盤１に新たに設ける必要がなく、遊技盤１の盤面の構成を簡略にすることができるし、遊技盤１の裏面側における球誘導路や球寄せの構成が簡単になる。」
（２−５）段落【００３９】を下記のとおり訂正。
　「【発明の効果】
　本発明に係るパチンコ機によれば、遊技盤に特別図柄表示装置と遊技者にとって不利な第１状態と遊技者に有利な第２状態とに変換可能な大入賞口と前記特別図柄表示装置を始動させる始動手段とを設けたパチンコ機において、前記始動手段を遊技者に不利な第１状態と遊技者に有利な第２状態とに変換可能な可変入賞装置で構成すると共に前記大入賞口の直上部に設け、前記可変入賞装置を遊技者に不利な第１状態と遊技者に有利な第２状態とに変換作動させるための球検出器を備える作動手段と、この球検出器を通過した球を前記始動手段の上方に案内可能な球案内手段とを遊技盤に設け、前記球検出器を通過した球が前記球案内手段により前記始動手段または前記大入賞口へ誘導可能なようにしたので、作動手段の球検出器を通過した一つの打球が始動手段または大入賞口ヘの入賞可能であり、一つの打球の価値を著しく高めることができる。また、作動手段の球検出器を通過した球が、始動手段または大入賞口へ入賞可能なように一連の球通路を形成してあるので、遊技者はこの球通路の方向に打球を集中させることができれば、遊技者に有利な状態に変換することのできる作動手段及び始動手段の両方を狙うことが可能になり、また大当り中も上記球通路方向に打球を集中させれば大入賞口へ入賞させることができ、遊技の作戦を立て易い。一方、遊技店にしてみれば、遊技盤の盤面に適度に打球が散るようにしておけばよいので、釘調整が容易になり管理がし易い。更に、遊技盤の盤面の構成を簡略にすることができると共に、遊技盤の裏面側における球誘導路や球寄せの構成が簡単になる実用的価値が極めて高いパチンコ機の提供が可能である。」
（５４）【発明の名称】
パチンコ機
（５７）【特許請求の範囲】
　【請求項１】　遊技盤に特別図柄表示装置と遊技者にとって不利な第１状態と遊技者に有利な第２状態とに変換可能な大入賞口と前記特別図柄表示装置を始動させる始動手段とを設けたパチンコ機において、
　前記始動手段を遊技者に不利な第１状態と遊技者に有利な第２状態とに変換可能な可変入賞装置で構成すると共に前記大入賞口の直上部に設け、
　前記可変入賞装置を
遊技者に不利な第１状態と遊技者に有利な第２状態とに変換
ための球検出器を備える
球検出器を通過した
　前記
球検出器を通過した球が
により
または
へ誘導可能である
【発明の詳細な説明】
　【０００１】
　【産業上の利用分野】
　この発明は、遊技盤にゲーム展開が遊技者にとって不利な第１状態と遊技者に有利な第２状態とに変換可能な遊技状態変換手段を設け、この遊技状態変換手段を作動させる始動手段を設けたパチンコ機に関し、特に遊技盤に遊技者に不利な第１状態と遊技者に有利な第２状態とに変換可能な可変入賞装置を設けたパチンコに関するものである。
　【０００２】
　【従来の技術】
　遊技盤に遊技状態変換手段を設けたパチンコ機は従来から種々多数のものがある。この遊技状態変換手段を大別すると、複数の図柄を表示可能な特別図柄表示装置を設け、この特別図柄表示装置が表示する図柄の組み合せ態様に基づいて大入賞口を開放するようにしたもの、所定条件が成立したときに可動翼片を繰り返し開閉することにより遊技者に有利な状態を創出するもの、権利状態にあるときに始動口に打球が入球すると大入賞口が開放するものがある。
　【０００３】
　また、遊技盤に球誘導路を形成し、この球誘導路の途中に球検出器を配設したパチンコ機として、例えば実開昭５５−７２９８６号公報がある。このパチンコ機は、セーフポケットを、球入口を有すると共に、遊技盤面に臨む球出口を有する形状と成し、その球入口と球出口との間に球検出器を配設したものである。
　【０００４】
　更に、遊技盤を流下する打球を可動部材の可動により他の入賞口へ誘導可能にしたものとして、例えば特開昭６３−１５００８５号公報がある。
　【０００５】
　【発明が解決しようとする課題】
　しかしながら、上記のような遊技状態変換手段を単に設けたパチンコ機は遊技者に飽きられているのが現状であり、従来にない新規なゲームが可能なパチンコ機の開発が切望されている。そこで、上記遊技状態変換手段の他に、例えば電動役物を単に設けたのでは、遊技盤上が繁雑になるばかりではなく、上記電動役物を作動するためのスイッチ類を配置しなければならない。また、釘や誘導部材等により誘導路を形成すると、その誘導路の方向に打球が偏在し、例えば遊技状態変換手段の始動手段を構成する始動口へ向けた誘導路を形成すると、始動口ヘは入球し易くなるが、他の入賞口等へは入球し難く、結局、ゲームのバランスを欠いてパチンコ遊技の興趣が向上しない。
　【０００６】
　【課題を解決するための手段】
　本発明は上記に鑑み提案されたもので、遊技盤に特別図柄表示装置と遊技者にとって不利な第１状態と遊技者に有利な第２状態とに変換可能な大入賞口と前記特別図柄表示装置を始動させる始動手段とを設けたパチンコ機において、前記始動手段を遊技者に不利な第１状態と遊技者に有利な第２状態とに変換可能な可変入賞装置で構成すると共に前記大入賞口の直上部に設け、前記可変入賞装置を
遊技者に不利な第１状態と遊技者に有利な第２状態とに変換
ための球検出器を備える
球検出器を通過した
球検出器を通過した球が
により
または
へ誘導可能であることを特徴とするパチンコ機
　【０００７】
　【作用】
　一つの球が描くことのできる軌跡上に配置した遊技状態変換手段である特別図柄表示装置の始動手段と、可変入賞装置
を遊技者に不利な第１状態と遊技者に有利な第２状態とに変換作動させるための球検出器を備える
の球検出器を通過
または大人賞口
球
または大人賞口
　【０００８】
　【実施例】
　以下本発明を図面の実施例について説明すると、図１は本発明に係るパチンコ機の遊技盤１、特にガイドレール２で囲まれる遊技部３の正面図である。
　【０００９】
　遊技部３には、ゲーム展開が遊技者にとって不利な第１状態と遊技者に有利な第２状態とに変換可能な遊技状態変換手段の構成要素である特別図柄表示装置４と、後述する可変入賞装置の作動手段を構成する普通図柄表示装置５及び該普通図柄表示装置５の普通図柄始動スイッチ６などを備える中央役物７を配置し、この中央役物７の下方に、遊技者に不利な第１状態と遊技者に有利な第２状態とに変換可能な可変入賞装置としての普通電動役物８を配置し、この普通電動役物８には特別図柄始動スイッチ１０を設けて上記特別図柄表示装置４を始動させる始動手段として機能させ、更にこの普通電動役物８の下方に、ゲーム展開が遊技者にとって不利な第１状態と遊技者に有利な第２状態とに変換可能な遊技状態変換手段の構成要素である大入賞口９を配置する。また、この大入賞口９の左右には、上記遊技状態変換手段である特別図柄表示装置４を始動させるための始動手段を構成する特別図柄始動スイッチ１０を臨ませた特別図柄始動口１１を配置して上記普通電動役物８と同様に機能させる。更に、遊技部３の適宜位置に、入賞口１２や風車１３、各種の表示灯１４、並びに多数の障害釘１５を配置し、最下位置にアウト口１６を開設する。
　【００１０】
　中央役物７は、図２ないし図６に示すように、開口部を有する取付基板１７の上部前面側に鎧部１８を突設し、該鎧部１８の上縁に取付基板１７の後方へ連通する天入賞口１９を開設し、この鎧部１８内に後述する普通図柄表示装置５と普通図柄始動記憶表示灯２０を設ける。また、取付基板１７の開口部の縁に沿って背面側に筒状の胴部２１を延設し、この胴部２１の後方に裏カバー２２を被着すると共に、開口部の下方部分の一部を残して透明な前カバー２３を被着して閉鎖空間部２４を形成する。
　【００１１】
　上記閉鎖空間部２４内の上方部分には、横三連に７セグメント発光ダイオードからなる表示器を配設して特別図柄表示装置４を構成する。また、閉鎖空間部２４の下部後方部分には、特別図柄始動記憶表示灯２５を構成する発光ダイオードを配置し、４個入賞まで記憶できるようになっている特別図柄の始動記憶を表示する。更に閉鎖空間部２４の下部には、凹状に緩く湾曲する柵板２６を設け、該柵板２６にはすり鉢状の円形凹部２７を設け、この円形凹部２７に例えば３個の落下口２８を開設する。この柵板２６の上面には、後縁の左右の角部から円形凹部２７に向かって緩く下り傾斜する球案内溝２９を設け、両後縁角部には上方から落下する球を球案内溝２９ヘガイドする球案内リブ３０を設ける。
　【００１２】
　そして、上記柵板２６の下方には、前縁が下がった底板３１を設けて、上記前カバー２３を被着した残りの部分を横長に開口する球出口３２として遊技部３の前面に臨ませる。即ち、この実施例では、上記底板３１が下方に配設した始動手段としての普通電動役物８へ球を案内する球案内手段となる。
　【００１３】
　一方、上記鎧部１８の下方で閉鎖空間部２４の外側左右の取付基板１７には球入口３３を開設すると共に球受部３４を突設し、上記閉鎖空間部２４の上部側方を通るように球入口３３から裏カバー２２に向けて球案内樋３５を形成する。そして、この球案内樋３５の下端を上記閉鎖空間部２４内に設けた柵板２６の球案内リブ３０の上方に開口させる。また、この球案内樋３５の途中に、図示の実施例では球案内樋３５の下端に、通過型の球検出器を設ける。この球検出器は、普通図柄表示装置５の図柄の変動表示を開始させるための普通図柄始動スイッチ６であり、普通電動役物８からなる可変入賞装置の作動手段を構成している。
　【００１４】
　従って、遊技部３を流下する球が、球入口３３へ入球し、球案内樋３５を通って閉鎖空間部２４に流入すると、球は途中の球検出器（普通図柄始動スイッチ６）に作用した後、柵板２６の上に落下する。落下した球は球案内リブ３０と球案内溝２９とにより円形凹部２７に流入し、流入した直後は流下勢が充分にあるので円形凹部２７の縁に沿って周回するが、流下勢が弱まると何れかの落下口２８から底板３１上に落下し、球出口３２から再び遊技部３へ戻り、遊技部３を流下する。尚、中央の落下口２８から底板３１に落下すると、底板３１の中央部を通って球出口３２の中央から遊技盤１の中央部へ流下し、下方に設けた後述する普通電動役物８に流入する確率が高い。また、図示の実施例では、左側の球入口３３から流入する球の落下方向が安定するように球案内樋３５の下縁から柵板２６へ向けて球ガイド片３０′を垂設している。
　【００１５】
　上記中央役物７下方に配置する普通電動役物８は、例えば図７（Ａ）〜（Ｄ）に示すような構造を有している。即ち、ベース板３６の前面に打球を受入れるポケット３７と、該ポケット３７の上縁開口縁の左右に一対の回動翼片３８を有している。このポケット３７はベース板３６の中央部の下半部に固定され、当該ベース板３６に開設した通孔３９に連通し、上方開口部から流入する球をこの通孔３９を通して遊技盤１の後方へ流出可能に構成してある。そして、前面には飾板４０を貼設して上記開口部を覆うと共に、この飾板４０に２本の支軸４１を後方へ向けて植設し、回動翼片３８を回動自在に軸支する。
　【００１６】
　上記回動翼片３８は軸支側基端部分に凹部３８ａを設け、該凹部３８ａにベース板３６に開設した透孔を通して後述する揺動部材４２の揺動突起４２ａを遊嵌させる。この回動翼片３８を回動させる作動伝達機構は普通電動ソレノイド４３の励磁によって摺動ずるプランジャ４４の直線運動を回動翼片３８の回動運動に変換させるもので、プランジャ４４と連動杆４５と上記した揺動部材４２をピン４６で枢着してなる。尚、連動杆４５は普通電動ソレノイド４３の左右に２本配置してあり、揺動部材４２の左右両端に連絡してある。
　【００１７】
　また、上記ポケット３７の開口上端には球検出器（例えば、特別図柄始動スイッチ１０）を臨ませ、回動翼片３８の間に流入する球を検出可能とする。尚、上記球検出器（１０）を通過した球は入賞球として遊技盤１の後方へ取り込まれる。
　【００１８】
　上記のように構成された普通電動役物８は、常態において普通電動ソレノイド４３が消磁し、戻りスプリング４７の付勢によってプランジャ４４が後退し、揺動部材４２の揺動突起４２ａが上向きとなり（図７（Ｃ））、回動翼片３８は先端の間隔を球１個が通過可能な程度開いているが、遊技者に利益を与え難い状態となっている。一方、普通電動ソレノイド４３を励磁するとプランジャ４４が摺動するので、連動杵４５を介して揺動部材４２が支軸４８を支点に揺動して揺動突起４２ａを下向きに回動させ、回動翼片３８を開放して球が流入し易い状態に変換し、遊技者に利益を与えることができる（図７（Ａ）破線の状態）。
　【００１９】
　尚、図示の実施例においては、普通電動役物８内にソレノイドを内蔵させているが、このソレノイドを遊技盤等に取り付け、リンク機構等を介して連絡する外付タイプとすることもできる。また、上記普通電動役物８は、この実施例では前述の特別図柄表示装置４の始動口に設定してあり、球検出器が特別図柄始動スイッチ１０として機能する。
　【００２０】
　従って、上記した中央役物７の球入口３３
へ入球した球は、球案内樋３５を通って球出口３２
または
に入球可能である。この
普通電動役物８を遊技者に不利な第１状態と遊技者に有利な第２状態とに変換作動させるための球検出器である
　【００２１】
　一方、上記普通電動役物８の下方には、ゲーム展開が遊技者にとって不利な第１状態と遊技者に有利な第２状態とに変換可能な遊技状態変換手段の構成要素である大入賞口９を配置する。即ち、始動手段として可変入賞装置からなる普通電動役物８が大入賞口９の上部に設けてあり、上記一連の球通路上に作動手段の普通図柄始動スイッチ６と前記球案内手段の底板３１と始動手段の普通電動役物８とが位置する。この大入賞口９は、特定条件が成立すると可動する可動部材４９を有し、この可動部材４９により通常は球が入球しないように構成してある。また、大入賞口９には継続スイッチ５０を臨ませた特定領域を形成し、この特定領域を球が通過することを条件として、上記可動部材４９の可動状態を継続するように構成する。更に、大入賞口９に流入した全ての球を検出するように、最下流側に１０カウントスイッチ５１を臨ませ、現在までに何個の球が大入賞口９へ流入したかを、取付ベース５２の下部飾り部５３に設けた１０カウント表示灯５４により可視表示する。尚、図示の実施例では、特定領域を取付ベース５２の前面側のほゞ中央に突出状に形成し、この特定領域に通過型の球検出器を設けると共に、該球検出器の球通過口の上方に当該球通過口を覆うように閉止部材５５を摺動可能に設け、この閉止部材５５を駆動源である大入賞口ソレノイド（ＳＯＬ）にレバー機構を介して連絡してある。また、上記特定領域の左右には可動部材４９を設け、この可動部材４９を上記駆動源にレバー機構を介して連絡してあり、図示の実施例によれば、上記可動部材４９が特定領域に対して横方向に平行に移動するようにパンタグラフ状に構成してある。
　【００２２】
　尚、上記大入賞口９は、実施例の構成に限らず、特定条件が成立したときに遊技者に有利な状態に変換可能であって、少なくとも継続スイッチ５０が臨む特定領域と全ての球を検出可能な１０カウントスイッチ５１を備えていれば、どのような構成のものであってもよい。例えば、横長なゲートを有する所謂アタッカー形式の変動入賞装置等でもよい。
　【００２３】
　遊技者が発射した打球が、遊技部３を流下して入賞口１２、大入賞口９、天入賞口１９等に入賞すると１５個の賞球を払い出し、特別図柄始動口１１（普通電動役物８を含む）に入賞すると７個の賞球を払い出すように設定してある。
　【００２４】
　特別図柄始動口１１に打球が入賞すると、特別図柄始動スイッチ１０がオンし、特別図柄表示装置４が図柄の変動表示を開始し、所定時間（例えば約６．５秒以上）経過後、図柄を順次停止させ、当該特別図柄表示装置４が表示する図柄の組み合せ態様が予め定める当りの図柄と一致する場合、大入賞口９が例えば約３０秒間開放する。尚、１０カウントスイッチ５１が大入賞口９に流入した球を１０個検出すると、上記３０秒が経過する前であっても大入賞口９は閉じる。上記大入賞口９の開放中に球が特定領域に流入して継続スイッチ５０がオンすると、大入賞口９の開放を最高１６回まで繰り返し行うことができる。即ち、遊技者に有利にゲームが展開し、遊技者は多大な利益を得ることができる。
　【００２５】
　一方、遊技者が発射した打球が中央役物７に設けた球入口３３に入球すると、球案内樋３５を通って閉鎖空間部２４に落下し、途中の普通図柄始動スイッチ６がオンする。普通図柄始動スイッチ６がオンすると、普通図柄表示装置５が変動表示を開始し、約６．５秒以上経過すると変動表示を停止し、このとき表示する図柄が予め設定した図柄と一致する場合に、普通電動役物８が約５．５秒間開放する。尚、普通図柄表示装置５が複数桁の表示装置である場合は、図柄の組み合せ態様が所定の組み合せになったとき普通電動役物８を開放する。
　【００２６】
　普通電動役物８が開放すると、この普通電動役物８には、特別図柄始動スイッチ１０が設けてあるので、上記した遊技者に有利な状態に移行するチャンスがある。しかも、この特別図柄始動スイッチ１０のオンは最大４個までの記憶が可能であるので、より多くのチャンスが巡ってくる。尚、特別図柄始動記憶がある場合には、特別図柄表示装置４の下方に設けた特別図柄始動記憶表示灯２５により遊技者に可視表示する。
　【００２７】
　上記のようにして普通図柄始動スイッチ６をオンさせた球は閉鎖空間部２４内に落下し、円形凹部２７を周回することにより落下時間の引き延ばしを図り遊技者の期待感を高める。また、この球が球案内手段としての底板３１を介して再び遊技部３へ戻り、何れかの入賞口へ流入するチャンスがある。しかも、この実施例では、落下口２８即ち底板３１の下方に特別図柄始動口１１を構成する普通電動役物８を配置してあるので、なおさら、遊技者の期待感を増大させる。
　【００２８】
　上記のような構成の本発明に係るパチンコ機によれば、
一つの打球が通過する
球検出器を備える
の球検出器を通過
を通過した一つの球が更に
特別図柄始動スイッチ１０に作用できなくても
が
　【００２９】
　尚、上記実施例では、球検出器を通過した球を中央役物７の内部を通して、遊技盤１の前面側へ誘導しているが、球を一旦遊技盤１の背面側を通してから遊技盤１の前面側の例えば普通電動役物８等の上方へ誘導するようにしてもよい。また、上記実施例における普通電動役物８は、普通図柄表示装置５の図柄が所定の図柄に一致したときに開放するように設定してあるが、球検出器を通過することにより、直接開放するようにしてもよい。
　【００３０】
　次に、上記のようなパチンコ遊技を制御する制御手段の一例を図８のブロック図により簡単に説明する。図８において、５８はデータの演算等に使用されるＲＡＭ等からなる中央演算処理装置（ＣＰＵ）、５９はＣＰＵ５８に所定のパルスを供給するクロック回路、６０はＣＰＵ５８をリセットするリセット回路、６１は電源投入時にＣＰＵ５８等を初期状態とする電源リセット回路、６２は上記リセット回路６０に所望のパルスを供給するための分周回路、６３は上記ＣＰＵ５８を作動させるためのプログラム及びデータが格納されているメモリー（ＰＲＯＭ）、６４は入出力制御装置、６５は特別図柄始動検出回路、６６は継続入賞検出回路、６７は普通図柄始動検出回路、６８は１０カウント検出回路、６９は大入賞口の可動部材を駆動する大入賞口ソレノイド駆動回路、７０は普通電動役物の回動翼片を駆動する普通電動ソレノイド駆動回路、７１は各種表示灯を駆動するランプ駆動回路、７２はゲームの状況に応じてスピーカ（ＳＰ）から効果音を発する電子音回路、７３はＬＥＤからなる表示灯を点灯するＬＥＤ駆動回路、７４は図柄表示装置を駆動する７セグＬＥＤ駆動回路である。尚、上記ランプ駆動回路７１、電子音回路７２は、例えば普通図柄始動スイッチ６や特別図柄始動スイッチ１０がオンしたときに、それぞれの表示灯を点灯或は点滅させたり、異なる効果音を出力して作動状態を区別している。
　【００３１】
　上記した実施例における普通電動役物８は、流入する球が全て球検出器を通過することになるが、図９（Ａ）ないし（Ｄ）に示す普通電動役物８によれば、球検出器を通過して遊技盤１の後方へ取り込まれる球と、回動翼片３８により取り込まれる球とを分けることができる。即ち、同一の普通電動役物８内に入賞口の機能と始動口の機能を与えることができる。
　【００３２】
　この普通電動役物８は、ベース板３６の前面に打球を受入れるポケット３７と、該ポケット３７の上縁開口縁の左右に一対の回動翼片３８を有し、閉止状態にある回動翼片３８の先端部の間にスイッチ枠５７に取り付けた球検出器を有している。上記ポケット３７はベース板３６の中央部の下半部に固定され、当該ベース板３６に開設した通孔３９に連通し、上方の球検出器を通過した球、及び開放状態にある回動翼片３８によって誘導されて流入する球を、上記通孔３９を通して遊技盤１の後方へ取込可能に構成してある。尚、図示の実施例では、球検出器を通過した球が、ポケット３７内に落下するようになっているが、スイッチ枠５７に底部仕切板を設けることにより」回動翼片３８によりポケット３７内に流入すると球とは別個に遊技盤１の後方へ取込可能とすることもできる。
　【００３３】
　そして、上記ポケット３７の前面には飾板４０を貼設して当該ポケット３７及び回動翼片３８の前面側を覆うと共に、この飾板４０に２本の支軸４１を後方へ向けて植設し、回動翼片３８を回動自在に軸支する。
　【００３４】
　上記回動翼片３８は軸支側基端部分に凹部３８ａを設け、該凹部３８ａにベース板３６に開設した透孔を通して後述する揺動部材４２の揺動突起４２ａを遊嵌させる。この回動翼片３８を回動させる作動伝達機構は普通電動ソレノイド４３の励磁によって摺動ずるプランジャ４４の直線運動を回動翼片３８の回動運動に変換させるもので、プランジャ４４と連動杵４５と上記した揺動部材４２をピン４６で枢着してなる。尚、連動杵４５は普通電動ソレノイド４３の左右に２本配置してあり、揺動部材４２の左右両端に連絡してある。
　【００３５】
　上記のように構成された普通電動役物８は、常態において普通電動ソレノイド４３が消磁し、戻りスプリング４７の付勢によってブランジャ４４が後退し、揺動部材４２の揺動突起４２ａが上向きとなり（図９（Ｃ））、回動翼片３８は先端をスイッチ枠５７の側面に当接させている（図９（Ａ））。この状態では、遊技部３を流下する打球は球検出器にのみ流入可能である。方、普通電動ソレノイド４３を励磁するとプランジャ４４が摺動ずるので、連動杵４５を介して揺動部材４２が支軸４８を支点に揺動して揺動突起４２ａを下向きに回動させ、回動翼片３８を開放して球が流入し易い状態（図９（Ａ）の破線の状態）に変換し、遊技部３を流下する打球は球検出器に作用することなく、ポケット３７に流入でき、ベース板３６の通孔３９を通して遊技盤１の後方へ取込可能である。
　【００３６】
　尚、図面の実施例においては、普通電動役物８内にソレノイドを内蔵させているが、このソレノイドを遊技盤等に取り付け、リンク機構等を介して連絡する外付タイプとすることもできる。
　【００３７】
　上記のような普通電動役物８によれば、球検出器を通過して入球する球と、球検出器を通過することなく入球する球とを分けることができる。そして、上記球検出器に始動口としての機能を与えると、始動口と所謂電動チューリップを一体化することができる。従って、遊技盤１上の取付スペースの削減や遊技盤１の裏面側における入賞球の処理、或は球検出器の設置や配線処理が簡単となり、取付作業や保守点検等が容易になり、実用的価値が高い。また、始動口に対する賞球数と一般の入賞口に対する賞球数とが異なる場合であっても、夫々の入賞に対応することができる。
　【００３８】
　以上、本発明を図面の実施例について説明したが、本発明は上記した実施例に限定されるものではなく、特許請求の範囲に記載した構成を変更しない限り適宜に実施できる。例えば、作動手段を普通電動役物内に設けることなく単独に設けるようにしてもよい。
　【００３９】
　【発明の効果】
　本発明に係るパチンコ機によれば、
遊技盤に特別図柄表示装置と遊技者にとって不利な第１状態と遊技者に有利な第２状態とに変換可能な大入賞口と前記特別図柄表示装置を始動させる始動手段とを設けたパチンコ機において、前記始動手段を遊技者に不利な第１状態と遊技者に有利な第２状態とに変換可能な可変入賞装置で構成すると共に前記大入賞口の直上部に設け、前記可変入賞装置を遊技者に不利な第１状態と遊技者に有利な第２状態とに変換作動させるための球検出器を備える作動手段と、この球検出器を通過した球を前記始動手段の上方に案内可能な球案内手段とを遊技盤に設け、前記球検出器を通過した球が前記球案内手段により前記始動手段または前記大入賞口へ誘導可能なように
作動手段の球検出器を通過した
または
作動手段の球検出器を通過した球が、始動手段または大入賞口へ入賞可能なように
【図面の簡単な説明】
　【図１】
　遊技盤の正面図である。
　【図２】
　中央役物の正面図である。
　【図３】
　中央役物の平面図である。
　【図４】
　中央役物の縦断面図である。
　【図５】
　図２のＡ−Ａ線断面図である。
　【図６】
　柵板の平面図である。
　【図７】
　普通電動役物を示し、（Ａ）は正面図、（Ｂ）は横断面図、（Ｃ）は回動翼片が閉じた状態の縦断面図、（Ｄ）は回動翼片が開いた状態の縦断面図である。
　【図８】
　制御手段のブロック図である。
　【図９】
　普通電動役物の他の実施例を示し、（Ａ）は正面図、（Ｂ）は横断面図、（Ｃ）は回動翼片が閉じた状態の縦断面図、（Ｄ）は背面図である。
　【符号の説明】
　１　遊技盤
　４　遊技状態変換手段の構成要素としての特別図柄表示装置
　５　可変入賞装置の作動手段の構成要素としての普通図柄表示装置
　６　可変入賞装置の作動手段の構成要素としての普通図柄始動スイッチ
　８　可変入賞装置を構成する普通電動役物
　９　遊技状態変換手段の構成要素としての大入賞口
１０　遊技状態変換手段の始動手段としての特別図柄始動スイッチ